(57)【要約】      （修正有）【課題】受信状態に関する情報を表示可能であり、利便性を向上できる電子時計を提供する。【解決手段】電子時計１は、電波を受信する受信装置４５と、受信装置４５を制御して電波を受信し、受信信号に基づいて時刻情報を取得する受信処理を実行する受信制御部３１０と、電波の受信状態に関する受信状態情報を取得する取得部３３０と、受信状態情報、および、予め設定された所定情報を表示可能な指針と、指針の表示を制御する表示制御部３２０と、受信処理の状態が、予め設定された受信状態情報の表示条件に該当するか否かを判定する判定部３４０と、を備え、表示制御部３２０は、受信処理の実行中、表示条件に該当する場合、指針に受信状態情報を表示させ、受信処理が完了した場合、指針に所定情報を表示させる。【選択図】図４
2018096830.tif 000002
【特許請求の範囲】
【請求項１】
電波を受信する受信装置と、
前記受信装置を制御して前記電波を受信し、受信信号に基づいて時刻情報を取得する受信処理を実行する受信制御部と、
前記電波の受信状態に関する受信状態情報を取得する取得部と、
前記受信状態情報、および、予め設定された所定情報を表示可能な指針と、
前記指針の表示を制御する表示制御部と、
前記受信処理の状態が、予め設定された前記受信状態情報の表示条件に該当するか否かを判定する判定部と、を備え、
前記表示制御部は、
前記受信処理の実行中、前記表示条件に該当する場合、前記指針に前記受信状態情報を表示させ、
前記受信処理が完了した場合、前記指針に前記所定情報を表示させる
ことを特徴とする電子時計。
【請求項２】
請求項１に記載の電子時計において、
前記判定部は、前記受信処理が開始されてから、前記時刻情報を取得できずに予め設定された所定時間が経過した場合、前記表示条件に該当したと判定する
ことを特徴とする電子時計。
【請求項３】
請求項１または請求項２に記載の電子時計において、
前記受信処理の状態に基づいて、受信に成功する見込みがあるか否かを判定する成功見込み判定部を有し、
前記判定部は、受信に成功する見込みがないと判定された場合、前記表示条件に該当したと判定する
ことを特徴とする電子時計。
【請求項４】
位置情報衛星から送信される衛星信号を受信する受信装置と、
前記受信装置を制御して前記衛星信号を受信し、受信信号に基づいて位置情報を算出して取得する受信処理を実行する受信制御部と、
前記衛星信号の受信状態に関する受信状態情報を取得する取得部と、
前記受信状態情報を表示可能な表示部と、
前記表示部の表示を制御する表示制御部と、
前記受信処理の状態が、予め設定された前記受信状態情報の表示条件に該当するか否かを判定する判定部と、を備え、
前記判定部は、前記受信処理が開始されてから、前記位置情報を取得できずに予め設定された所定時間が経過した場合、前記表示条件に該当したと判定し、
前記表示制御部は、前記受信処理の実行中、前記表示条件に該当する場合、前記表示部に前記受信状態情報を表示させる
ことを特徴とする電子時計。
【請求項５】
請求項４に記載の電子時計において、
前記受信処理において捕捉されている前記位置情報衛星の数および信号強度が、予め設定された測位可能条件に該当するか否かを判定する条件判定部を備え、
前記判定部は、前記測位可能条件に該当した場合、前記表示条件に該当したと判定する
ことを特徴とする電子時計。
【請求項６】
請求項１から請求項５のいずれか１項に記載の電子時計において、
前記受信処理が開始されることを示す開始情報を表示可能な開始情報表示指針と、
操作部と、を備え、
前記受信制御部は、前記操作部の受信開始操作を検出すると、前記受信装置を起動して前記受信処理を開始し、
前記表示制御部は、前記操作部の前記受信開始操作を検出すると、前記開始情報表示指針に前記開始情報を表示させ、
前記受信装置の起動および前記開始情報の表示は同時に行われる
ことを特徴とする電子時計。
【請求項７】
請求項１から請求項６のいずれか１項に記載の電子時計において、
受信結果を表示可能な受信結果表示指針と、
時刻を表示可能な時刻表示指針と、
前記受信処理で取得された情報に基づいて、前記時刻を修正する時刻修正部と、を備え、
前記表示制御部は、前記受信処理によって情報を取得できた場合、前記受信結果表示指針および前記時刻表示指針を制御し、前記受信結果および修正された前記時刻を同時に表示させる
ことを特徴とする電子時計。
【請求項８】
請求項７に記載の電子時計において、
前記受信結果表示指針は、前記電子時計が備える指針のうち最も長い指針である
ことを特徴とする電子時計。
【発明の詳細な説明】
【技術分野】
【０００１】
本発明は、電波を受信する電子時計に関する。
【背景技術】
【０００２】
従来、ＧＰＳ（Global Positioning System）衛星などの位置情報衛星から衛星信号を受信する電子時計において、受信処理中、受信状態に関する情報を表示する時計がある（例えば、特許文献１参照）。
特許文献１の電子時計は、受信処理中、１秒間隔で、捕捉衛星数や受信信号の信号強度などに基づいて受信状態レベルを算出し、算出した受信状態レベルを秒針で表示する。
【先行技術文献】
【特許文献】
【０００３】
【特許文献１】特開２００９−１８０５５５号公報
【発明の概要】
【発明が解決しようとする課題】
【０００４】
しかしながら、特許文献１の電子時計のように、受信状態レベルを算出して取得したタイミングで、無条件で受信状態レベルを表示する場合、例えば、次のような不具合があり、利便性が低下する可能性がある。
一般的に、受信処理が開始されてから数秒間は、捕捉されている衛星数が確定していないため、受信状態レベルも確定していないことが多い。特許文献１の電子時計では、受信処理中、１秒間隔で受信状態レベルが表示されるため、受信処理が開始された１秒後から受信状態レベルが表示されてしまう。このため、不正確な情報が表示され、利便性が低下する可能性がある。
【０００５】
本発明の目的は、受信状態に関する情報を表示可能であり、利便性を向上できる電子時計を提供することにある。
【課題を解決するための手段】
【０００６】
本発明の電子時計は、電波を受信する受信装置と、前記受信装置を制御して前記電波を受信し、受信信号に基づいて時刻情報を取得する受信処理を実行する受信制御部と、前記電波の受信状態に関する受信状態情報を取得する取得部と、前記受信状態情報、および、予め設定された所定情報を表示可能な指針と、前記指針の表示を制御する表示制御部と、前記受信処理の状態が、予め設定された前記受信状態情報の表示条件に該当するか否かを判定する判定部と、を備え、前記表示制御部は、前記受信処理の実行中、前記表示条件に該当する場合、前記指針に前記受信状態情報を表示させ、前記受信処理が完了した場合、前記指針に前記所定情報を表示させることを特徴とする。
【０００７】
受信状態情報は、例えば、捕捉衛星数や、捕捉衛星数および信号強度に基づいて算出される受信状態レベルなどである。また、所定情報は、例えば、受信結果や時刻などである。
本発明によれば、受信処理の実行中、受信処理の状態が、予め設定された表示条件に該当した場合に、受信状態情報が表示される。
このため、例えば、受信状態情報が正確であると判断できる場合に、受信状態情報が表示されるようにできる。
また、指針が受信状態情報を表示している途中（移動中）に、受信処理が完了した場合、指針を途中で停止させて所定情報を表示させると、表示が不自然となるため、表示制御部は、例えば、指針に受信状態情報を表示させた後（指針の移動が完了した後）に、所定情報を表示させる。この場合、指針が停止している状態から所定情報を表示する場合と比べて、所定情報の表示が遅れる可能性がある。本発明によれば、例えば、受信状態情報が不正確であると判断できる場合は、受信状態情報が表示されないようにできるため、不正確な受信状態情報の表示によって所定情報の表示が遅れることがない。
このように、本発明によれば、利便性を向上できる。
【０００８】
本発明の電子時計において、前記判定部は、前記受信処理が開始されてから、前記時刻情報を取得できずに予め設定された所定時間が経過した場合、前記表示条件に該当したと判定することが好ましい。
【０００９】
本発明によれば、受信処理が開始されてから、所定時間経過する前に時刻情報を取得できた場合、受信状態情報が表示されることなく、所定情報が表示される。また、受信処理が開始されてから、所定時間経過してから時刻情報を取得できた場合や、タイムアウトの場合、受信状態情報が表示された後、所定情報が表示される。
本発明によれば、受信処理が開始されてから時間が経過し、受信状態情報が確定していると判断できる場合に、受信状態情報が表示されるようにできる。
また、例えば、ＧＰＳでは、６秒間隔で時刻情報が送信されるため、受信環境が良ければ、受信処理が開始されてから数秒で時刻情報を取得できる。本発明によれば、このように、短時間で時刻情報を取得できる場合は、受信状態情報が表示されないようにできるため、受信状態情報の表示によって所定情報の表示が遅れることがなく、所定情報を迅速に表示できる。
【００１０】
本発明の電子時計において、前記受信処理の状態に基づいて、受信に成功する見込みがあるか否かを判定する成功見込み判定部を有し、前記判定部は、受信に成功する見込みがないと判定された場合、前記表示条件に該当したと判定することが好ましい。
【００１１】
成功見込み判定部は、例えば、受信した電波の信号強度などに基づいて、受信に成功する見込みがあるか否かを判定する。
受信に成功する見込みがないと判定できた場合は、例えば、高い信号強度の位置情報衛星が捕捉されていないなど、位置情報衛星を捕捉しにくい状況にあると判断できる。従って、受信に成功する見込みがないと判定された場合に、受信状態情報を表示させることで、位置情報衛星を捕捉しにくい状況であることを通知できる。
また、受信に成功する見込みがないと判定された場合は、受信状態情報を表示させている途中で、時刻情報が取得される可能性は低く、受信状態情報の表示によって所定情報の表示が遅れる可能性も低い。
【００１２】
本発明の電子時計は、位置情報衛星から送信される衛星信号を受信する受信装置と、前記受信装置を制御して前記衛星信号を受信し、受信信号に基づいて位置情報を算出して取得する受信処理を実行する受信制御部と、前記衛星信号の受信状態に関する受信状態情報を取得する取得部と、前記受信状態情報を表示可能な表示部と、前記表示部の表示を制御する表示制御部と、前記受信処理の状態が、予め設定された前記受信状態情報の表示条件に該当するか否かを判定する判定部と、を備え、前記判定部は、前記受信処理が開始されてから、前記位置情報を取得できずに予め設定された所定時間が経過した場合、前記表示条件に該当したと判定し、前記表示制御部は、前記受信処理の実行中、前記表示条件に該当する場合、前記表示部に前記受信状態情報を表示させることを特徴とする。
【００１３】
本発明によれば、受信処理が開始されてから時間が経過し、受信状態情報が確定していると判断できる場合に、受信状態情報が表示されるようにでき、利便性を向上できる。
【００１４】
本発明の電子時計において、前記受信処理において捕捉されている前記位置情報衛星の数および信号強度が、予め設定された測位可能条件に該当するか否かを判定する条件判定部を備え、前記判定部は、前記測位可能条件に該当した場合、前記表示条件に該当したと判定することが好ましい。
【００１５】
本発明によれば、受信処理が開始されてから所定時間経過する前であっても、測位可能条件に該当し、受信に成功できる環境にあると判断できる場合は、受信状態情報が表示されるため、受信に成功できる環境にあることを迅速に表示できる。
【００１６】
本発明の電子時計において、前記受信処理が開始されることを示す開始情報を表示可能な開始情報表示指針と、操作部と、を備え、前記受信制御部は、前記操作部の受信開始操作を検出すると、前記受信装置を起動して前記受信処理を開始し、前記表示制御部は、前記操作部の前記受信開始操作を検出すると、前記開始情報表示指針に前記開始情報を表示させ、前記受信装置の起動および前記開始情報の表示は同時に行われることが好ましい。
【００１７】
受信装置の起動および開始情報の表示が同時に行われるとは、受信装置の起動中の期間と、開始情報表示指針が開始情報を表示するために移動している期間とが、少なくとも一部重なっている状態を意図する。
本発明によれば、受信装置の起動が完了した後に開始情報表示指針が移動を開始する場合と比べて、開始情報を迅速に表示できる。また、開始情報表示指針の移動が完了した後に受信装置が起動を開始する場合と比べて、受信開始操作が行われてから受信処理が完了するまでの平均時間を短縮できる。
【００１８】
本発明の電子時計において、受信結果を表示可能な受信結果表示指針と、時刻を表示可能な時刻表示指針と、前記受信処理で取得された情報に基づいて、前記時刻を修正する時刻修正部と、を備え、前記表示制御部は、前記受信処理によって情報を取得できた場合、前記受信結果表示指針および前記時刻表示指針を制御し、前記受信結果および修正された前記時刻を同時に表示させることが好ましい。
【００１９】
受信結果および修正された時刻が同時に表示される状態とは、受信結果を表示するために受信結果表示指針が移動している期間と、時刻表示指針が修正された時刻を表示するために移動している期間とが、少なくとも一部重なっている状態である。
本発明によれば、受信結果および修正された時刻のいずれか一方が表示されてから他方が表示される場合と比べて、ユーザーが受信結果および修正された時刻の両方を確認できるまでの時間を短縮できる。
【００２０】
本発明の電子時計において、前記受信結果表示指針は、前記電子時計が備える指針のうち最も長い指針であることが好ましい。
本発明によれば、受信結果を分かり易く表示できる。
【図面の簡単な説明】
【００２１】
【図１】本発明に係る第１実施形態における電子時計を示す概略図。
【図２】第１実施形態における電子時計の正面図。
【図３】第１実施形態における電子時計の断面図。
【図４】第１実施形態における電子時計の制御ブロック図。
【図５】航法メッセージのメインフレーム構成を示す図。
【図６】航法メッセージのＴＬＭワード構成を示す図。
【図７】航法メッセージのＨＯＷワード構成を示す図。
【図８】第１実施形態における記憶装置のデータ構造図。
【図９】第１実施形態における測時受信処理を示すフローチャート。
【図１０】本発明に係る第２実施形態における電子時計の制御ブロック図。
【図１１】第２実施形態における測時受信処理を示すフローチャート。
【図１２】本発明に係る第３実施形態における電子時計の制御ブロック図。
【図１３】第３実施形態における測位受信処理を示すフローチャート。
【図１４】本発明に係る他の実施形態における電子時計の動作および表示のタイミングの一例を示す図。
【発明を実施するための形態】
【００２２】
［第１実施形態］
図１は、本実施形態の電子時計１を示す概略図である。
電子時計１は、地球の上空を所定の軌道で周回している複数のＧＰＳ（Global Positioning System）衛星１００のうち、少なくとも１つのＧＰＳ衛星１００から衛星信号を受信して時刻情報を取得し、少なくとも３つのＧＰＳ衛星１００から衛星信号を受信して位置情報を算出して取得するように構成されている。なお、ＧＰＳ衛星１００は、位置情報衛星の一例であり、地球の上空に複数存在している。現在は約３０個のＧＰＳ衛星１００が周回している。
【００２３】
［電子時計の概略構成］
図２は、電子時計１の正面図であり、図３は、電子時計１の概略を示す断面図である。
電子時計１は、図２、図３に示すように、外装ケース３０と、カバーガラス３３と、裏蓋３４とを備えている。
外装ケース３０は、金属で形成された円筒状のケース３１の表面側に、セラミックで形成されたベゼル３２が嵌合されて構成されている。図３に示すように、外装ケース３０の二つの開口のうち、表面側の開口は、カバーガラス３３で塞がれており、裏面側の開口は金属で形成された裏蓋３４で塞がれている。
外装ケース３０の側面には、Ａボタン２と、Ｂボタン３と、りゅうず４とが設けられている。
【００２４】
外装ケース３０の内側には、ダイヤルリング３５と、文字板１１と、時刻表示指針である指針２１，２２，２３，２４，２６，２７，２８と、モード針である指針２５と、カレンダー車２０と、各指針およびカレンダー車２０を駆動するムーブメント１２５などが備えられている。
【００２５】
ダイヤルリング３５は、リング状となっており、プラスチックで形成されている。
文字板１１は、プラスチックなどの光透過性の材料で形成されている。文字板１１は、外装ケース３０の内側で時刻を表示する円形の板材であり、カバーガラス３３との間に各指針２１〜２８を備え、ダイヤルリング３５の内側に配置されている。
文字板１１には、指針２１，２２，２３の指針軸２９と、指針２４，２５，２６，２７，２８の図示しない指針軸とが貫通する穴と、カレンダー小窓１５の開口部が形成されている。
【００２６】
文字板１１と、ムーブメント１２５との間には、ソーラーパネル１３５が備えられている。
ソーラーパネル１３５は、光エネルギーを電気エネルギーに変換する光発電を行う光発電素子である。ソーラーパネル１３５は、カバーガラス３３および文字板１１を透過した光を受光して光発電を行うことができる。
【００２７】
ムーブメント１２５は、回路基板１２０で裏蓋側から覆われている。ムーブメント１２５が備える駆動機構１４０は、ステップモーターと歯車などの輪列とを有し、当該ステップモーターが当該輪列を介して指針軸を回転させることにより各指針２１〜２８およびカレンダー車２０を駆動する。
駆動機構１４０は、具体的には、第１〜第６駆動機構を備える。第１駆動機構は指針２２および指針２３を駆動し、第２駆動機構は指針２１を駆動し、第３駆動機構は指針２４を駆動し、第４駆動機構は指針２５を駆動し、第５駆動機構は指針２６，２７，２８を駆動し、第６駆動機構はカレンダー車２０を駆動する。
【００２８】
ＧＰＳアンテナ１１０は、１．５ＧＨｚ帯のマイクロ波を受信するアンテナであり、文字板１１の裏面側に配置され、裏蓋側のアンテナ基板１２３上に実装されている。文字板１１に直交する方向において、ＧＰＳアンテナ１１０と重なる文字板１１の部分は、１．５ＧＨｚ帯のマイクロ波が透過し易い材料（例えば、導電率および透磁性の低い非金属の材料）で形成されている。また、ＧＰＳアンテナ１１０と文字板１１との間には電極を備えたソーラーパネル１３５が介在しない。よって、ＧＰＳアンテナ１１０は、カバーガラス３３および文字板１１を透過した衛星信号を受信することができる。
なお、ＧＰＳアンテナ１１０としては、パッチアンテナ（マイクロストリップアンテナ）、ヘリカルアンテナ、チップアンテナ、逆Ｆアンテナなどを例示できる。
【００２９】
アンテナ基板１２３の裏蓋側には、二次電池１３０が設けられている。二次電池１３０は、電子時計１の電源であり、ソーラーパネル１３５で発生した電力を蓄積する。二次電池１３０としては、リチウムイオン電池などを例示できる。
【００３０】
回路基板１２０は、コネクター１２１を介してアンテナ基板１２３および二次電池１３０と接続されている。また、回路基板１２０は、裏蓋側に制御装置３００や受信装置４５などを備えている。回路基板１２０の裏蓋側には、これらの部品を覆うための回路押さえ１２２が設けられている。
【００３１】
［電子時計の表示機構］
指針２１，２２，２３は、文字板１１の平面中心に、文字板１１の表裏方向に沿って設けられた指針軸２９に取り付けられている。なお、指針軸２９は、各指針２１，２２，２３が取り付けられる３つの指針軸で構成されている。
文字板１１の外周部を囲むダイヤルリング３５の内周側には、図２に示すように、内周を６０分割にする目盛が表記されている。この目盛を用いて、指針２１は第１時刻（ローカルタイム：例えば外国にいる場合の現地時刻）の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。なお、指針２１は、電子時計１が備える指針のうち最も長い指針である。
また、ダイヤルリング３５には、１２分位置にアルファベットの「Ｙ」と、１８分位置にアルファベットの「Ｎ」の英字が表記されている。指針２１は、「Ｙ」および「Ｎ」のいずれか一方を指示し、衛星信号の受信結果を表示する。
指針２４は、文字板１１の平面中心から２時方向の位置に設けられている指針軸に取り付けられ、曜日を表示する。
【００３２】
指針２５は、文字板１１の平面中心から１０時方向の位置に設けられている指針軸に取り付けられている。
指針２５の回転領域の外周には、「ＤＳＴ」の英字と「○」の記号が表記されている。ＤＳＴ（daylight saving time）は夏時間（サマータイム）を意味する。指針２５は、これらの英字と記号を指示することで、夏時間（ＤＳＴ：夏時間ＯＮ、○：夏時間ＯＦＦ）の設定を表示する。
また、指針２５の回転領域の外周には、円周に沿って三日月鎌状の記号１２が表記されている。この記号１２は二次電池１３０のパワーインジケーターであり、電池容量に応じた位置を指針２５が指示することで電池容量が表示される。
【００３３】
また、指針２５の回転領域の外周には、飛行機形状の記号１３が表記されている。この記号は、機内モードを表す。指針２５は、記号１３を指示することで、機内モードに設定され、受信が行われないことを表示する。
また、指針２５の回転領域の外周には、「１」の数字と「４＋」の記号が表記されている。これらの数字と記号は、衛星信号の受信モードを表す。「１」はＧＰＳ時刻情報を受信し内部時刻が修正されること（測時モード）を、「４＋」はＧＰＳ時刻情報と軌道情報とを受信し、現在位置である位置情報を算出し、内部時刻と時差とが修正されること（測位モード）を意味する。
【００３４】
指針２６、指針２７は、文字板１１の平面中心から６時方向の同じ位置に設けられている指針軸に取り付けられている。指針２６は、第２時刻（ホームタイム：例えば外国にいる場合の日本の時刻）の「分」を表示し、指針２７は、第２時刻の「時」を表示する。指針２８は、文字板１１の平面中心から４時方向の位置に設けられている指針軸に取り付けられている。指針２８は、第２時刻の午前および午後を表示する。
【００３５】
カレンダー小窓１５は、文字板１１を矩形状に開口した開口部に設けられており、開口部からカレンダー車２０に印刷された数字が視認可能となっている。カレンダー車２０は、開口部から数字を視認させることで、第１時刻に対応した年月日の「日」を表示する。
【００３６】
ダイヤルリング３５には、内周側の目盛に沿って、協定世界時（ＵＴＣ）との時差を表す時差情報３７が、数字と数字以外の記号とで表記されている。
また、ダイヤルリング３５の周囲に設けられているベゼル３２には、ダイヤルリング３５に表記されている時差情報３７に対応した標準時を使用している代表都市名を表す都市情報３６が、時差情報３７に併記されている。
指針２１は、時差情報３７や都市情報３６を指示することで、時差情報を表示する。
【００３７】
［電子時計の内部構成］
図４は、電子時計１の制御ブロック図である。
電子時計１は、図４に示すように、ＣＰＵ（中央処理装置：Central Processing Unit）で構成される制御装置３００、ＲＡＭ（Random Access Memory）やＥＥＰＲＯＭ（Electronically Erasable and Programmable Read Only Memory）等で構成される記憶装置２００、受信装置（ＧＰＳモジュール）４５、計時装置１５０、入力装置１６０、検出装置１７０、駆動機構１４０、表示装置１４１を備えている。これらの各装置は、データバスを介してデータを送受信する。
また、電子時計１は、電源となる充電可能な二次電池１３０を内蔵している。二次電池１３０は、ソーラーパネル１３５から充電回路１３１を介して供給される電力で充電される。
【００３８】
［入力装置］
入力装置１６０は、図２に示すりゅうず４、Ａボタン２、Ｂボタン３を備えて構成される。入力装置１６０は、操作部の一例である。
【００３９】
［検出装置］
検出装置１７０は、各ボタン２，３の押し離しや、りゅうず４の引き出し、押し込み、回転操作に基づいて、各種処理の実行を指示する操作を検出し、検出した操作に応じた操作信号を制御装置３００に出力する。
【００４０】
［表示装置］
表示装置１４１は、図２に示す文字板１１、ダイヤルリング３５、ベゼル３２、指針２１〜２８、カレンダー車２０等を備えて構成される。
【００４１】
［受信装置］
受信装置４５は、ＧＰＳアンテナ１１０に接続され、ＧＰＳアンテナ１１０を介して受信した衛星信号を処理して時刻情報や位置情報を取得する。ＧＰＳアンテナ１１０は、ＧＰＳ衛星１００から送信され、図３に示すカバーガラス３３とダイヤルリング３５とを通過した衛星信号の電波を受信する。
そして、受信装置４５は、図示を略すが、通常のＧＰＳ装置と同様に、ＧＰＳ衛星１００から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）から時刻情報や位置情報（測位情報）を取得して出力する情報取得手段とを備えている。
ＢＢ部では、ＧＰＳ衛星１００のＣ／Ａコードのパターンを発生させて、各Ｃ／Ａコードと受信した衛星信号の相関値を求め、同期できるＧＰＳ衛星１００を探索して捕捉する。
ＧＰＳ衛星１００の探索において、まず、受信信号レベルの閾値を最も高い第１閾値に設定する。受信信号レベルの閾値は、捕捉しているＧＰＳ衛星１００を判定するための閾値である。すなわち、受信信号レベルがこの閾値を超えたＧＰＳ衛星１００を捕捉衛星と判定する。第１閾値での全てのＧＰＳ衛星１００の探索が終了すると、第１閾値より低い第２閾値に切り替え、同様に全てのＧＰＳ衛星１００の探索を行う。このように、設定可能な複数の受信信号レベルについて、全てのＧＰＳ衛星１００の探索を順番に実行する。
受信装置４５は、捕捉しているＧＰＳ衛星１００の衛星数を、制御装置３００に例えば１秒毎に通知する。
各閾値での探索は１秒以上の時間を要し、また、受信信号レベルの閾値が低いほど探索に時間を要する。そのため、受信開始直後に受信装置４５が通知した捕捉衛星数は、例えば第１閾値における全てのＧＰＳ衛星１００の探索が終了していないタイミングで出力される。また、受信開始から２，３秒後に通知される捕捉衛星数も、第１閾値もしくは第２閾値での探索の途中で通知される可能性がある。つまり、探索終了後に実際に捕捉できる衛星数よりも少ない数の捕捉衛星数が通知される場合がある。受信開始から数秒経過すると、受信信号レベルの閾値が高いＧＰＳ衛星１００の探索が終了しているため、捕捉できる衛星数がほぼ確定していると判断できる。
なお、探索における受信信号レベルの閾値の数、各閾値での探索に要する時間、捕捉衛星数の通知間隔は適宜設定できる。
【００４２】
［航法メッセージ］
ここで、前記各取得情報が含まれるＧＰＳ衛星１００から送信される衛星信号である航法メッセージについて説明する。なお、航法メッセージは、５０ｂｐｓのデータとして衛星の電波に変調されている。
図５〜図７は、航法メッセージの構成について説明するための図である。
図５に示すように、航法メッセージは、全ビット数１５００ビットのメインフレームを１単位とするデータとして構成される。メインフレームは、それぞれ３００ビットの５つのサブフレーム１〜５に分割されている。１つのサブフレームのデータは、各ＧＰＳ衛星１００から６秒で送信される。従って、１つのメインフレームのデータは、各ＧＰＳ衛星１００から３０秒で送信される。
【００４３】
サブフレーム１には、週番号データ（ＷＮ：week number）や衛星補正データが含まれ
ている。
週番号データは、現在のＧＰＳ時刻情報が含まれる週を表す情報であり、１週間単位で更新される。
サブフレーム２、３には、エフェメリスパラメーター（各ＧＰＳ衛星１００の詳細な軌道報）が含まれる。また、サブフレーム４、５には、アルマナックパラメーター（全ＧＰＳ衛星１００の概略軌道情報）が含まれている。
【００４４】
さらに、サブフレーム１〜５には、先頭から、３０ビットのＴＬＭ（Telemetry word）データが格納されたＴＬＭ（Telemetry）ワードと３０ビットのＨＯＷ（hand over word
）データが格納されたＨＯＷワードが含まれている。
【００４５】
従って、ＴＬＭワードやＨＯＷワードは、ＧＰＳ衛星１００から６秒間隔で送信されるのに対し、週番号データや衛星補正データ、エフェメリスパラメーター、アルマナックパラメーターは３０秒間隔で送信される。
【００４６】
図６に示すように、ＴＬＭワードには、プリアンブルデータ、ＴＬＭメッセージ、Reservedビット、パリティデータが含まれている。
【００４７】
図７に示すように、ＨＯＷワードには、ＴＯＷ（Time of Week、「Ｚカウント」ともいう）というＧＰＳ時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。
【００４８】
従って、電子時計１は、サブフレーム１に含まれる週番号データとサブフレーム１〜５に含まれるＨＯＷワード（Ｚカウントデータ）を取得することで、日付情報および時刻情報を取得することができる。ただし、電子時計１は、以前に週番号データを取得し、週番号データを取得した時期からの経過時間を内部でカウントしている場合は、週番号データを取得しなくてもＧＰＳ衛星１００の現在の過番号データを得ることができる。
従って、電子時計１は、リセット後や電源投入時のように、内部に週番号データ（日付情報）を記憶していない場合のみ、サブフレーム１の週番号データを取得すれば良い。そして、週番号データを記憶している場合は、電子時計１は、６秒毎に送信されるＴＯＷを取得すれば、現在時刻が分かるようになっている。このため、電子時計１は、通常、時刻情報としてＴＯＷのみを取得する。
【００４９】
［計時装置］
計時装置１５０は、二次電池１３０に蓄積された電力で駆動される水晶振動子等を備え、水晶振動子の発振信号に基づく基準信号を用いて時刻データを更新する。
【００５０】
［記憶装置］
記憶装置２００は、図８に示すように、時刻データ記憶部２１０と、タイムゾーンデータ記憶部２２０とを備えている。
時刻データ記憶部２１０には、受信時刻データ２１１と、閏秒更新データ２１２と、内部時刻データ２１３と、第１表示用時刻データ２１４と、第２表示用時刻データ２１５と、第１タイムゾーンデータ２１６と、第２タイムゾーンデータ２１７とが記憶される。
【００５１】
受信時刻データ２１１には、衛星信号から取得した時刻情報（ＧＰＳ時刻）が記憶される。この受信時刻データ２１１は、通常は計時装置１５０によって１秒毎に更新され、衛星信号を受信した際には、取得した時刻情報が記憶される。
閏秒更新データ２１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ２１２に記憶している。
【００５２】
内部時刻データ２１３には、内部時刻情報が記憶される。この内部時刻情報は、受信時刻データ２１１に記憶されたＧＰＳ時刻と、閏秒更新データ２１２に記憶している「現在の閏秒」とによって更新される。すなわち、内部時刻データ２１３には、ＵＴＣ（協定世界時）が記憶されることになる。受信時刻データ２１１が計時装置１５０で更新される際に、この内部時刻情報も更新される。
【００５３】
第１表示用時刻データ２１４には、内部時刻データ２１３の内部時刻情報に、第１タイムゾーンデータ２１６のタイムゾーンデータ（時差情報）を加味した時刻情報が記憶される。第１タイムゾーンデータ２１６は、ユーザーが手動で選択した場合や測位モードで受信した場合に得られるタイムゾーンデータで設定される。ここで、第１表示用時刻データ２１４の時刻情報は、指針２１，２２，２３、カレンダー車２０によって表示される第１時刻に相当する。
第２表示用時刻データ２１５には、内部時刻データ２１３の内部時刻情報に、第２タイムゾーンデータ２１７のタイムゾーンデータを加味した時刻情報が記憶される。第２タイムゾーンデータ２１７は、ユーザーが手動で選択した場合に得られるタイムゾーンデータで設定される。ここで、第２表示用時刻データ２１５の時刻情報は、指針２６，２７，２８によって表示される第２時刻に相当する。
【００５４】
タイムゾーンデータ記憶部２２０は、位置情報（緯度、経度）とタイムゾーンデータ（時差情報）とを関連付けて記憶している。このため、測位モードで位置情報を取得した場合、制御装置３００は、その位置情報（緯度、経度）に基づいてタイムゾーンデータを取得できるようにされている。なお、制御装置３００は、りゅうず４の操作によっても、タイムゾーンデータ記憶部２２０からタイムゾーンデータを取得できるようにされている。
【００５５】
［制御装置］
制御装置３００は、電子時計１を制御するＣＰＵで構成されている。制御装置３００は、記憶装置２００に格納された受信制御プログラムを実行することで、受信制御部３１０、表示制御部３２０、取得部３３０、判定部３４０、時刻修正部３５０として機能する。
受信制御部３１０は、測時部３１１および測位部３１２を備える。測時部３１１は、受信装置４５を作動して測時モードでの受信処理を実行する。測位部３１２は、受信装置４５を作動して測位モードでの受信処理を実行する。
表示制御部３２０は、指針２１〜２８およびカレンダー車２０を制御して各情報を表示させる。
取得部３３０は、受信状態に関する情報（受信状態情報）として、捕捉衛星数を算出して取得する。
判定部３４０は、受信処理の状態が、予め設定された捕捉衛星数（受信状態情報）の表示条件に該当するか否かを判定する。
時刻修正部３５０は、第１時刻および第２時刻を修正する。
なお、各部の機能の詳細は、以降の測時受信制御処理の説明で述べる。
【００５６】
［測時受信制御処理］
次に、電子時計１が実行する測時受信制御処理について説明する。図９は、測時受信制御処理を示すフローチャートである。
Ａボタン２が３秒以上６秒未満押され、測時モードでの受信処理（測時受信処理）を開始させる受信開始操作が行われると、受信制御部３１０は、検出装置１７０から出力された操作信号に基づいて当該操作を検出し、測時部３１１を起動させる。測時部３１１は、受信装置４５を起動させ、測時受信処理を開始する（Ｓ１１）。測時受信処理が実行されると、受信装置４５は、ＧＰＳ衛星１００の捕捉処理を実行する。そして、少なくとも１個のＧＰＳ衛星１００を捕捉し、そのＧＰＳ衛星１００から送信される衛星信号を受信して時刻情報を取得する。
【００５７】
次に、表示制御部３２０は、指針２１（秒針）に０秒位置を指示させ、これにより、受信処理が開始されたことを示す開始情報を表示させる（Ｓ１２）。すなわち、指針２１は、開始情報を表示する開始情報表示指針でもある。
次に、表示制御部３２０は、指針２５（モード針）に「１」の数字を指示させ、測時受信処理の実行中であることを表示させる（Ｓ１３）。
【００５８】
次に、取得部３３０は、受信状態に関する受信状態情報として、捕捉されているＧＰＳ衛星１００の数（捕捉衛星数）を受信装置４５から取得する（Ｓ１４）。
【００５９】
次に、判定部３４０は、受信処理が開始されてから所定時間経過したか否かを判定する（Ｓ１５）。なお、所定時間は、探索における受信信号レベルの閾値の数、各閾値での探索に要する時間、捕捉衛星数の通知間隔などに応じて設定でき、例えば５秒や６秒などに設定される。
最初は、Ｓ１５でＮＯと判定され、Ｓ１６で、判定部３４０は、時刻情報を取得できたか否かを判定する。
Ｓ１６でＮＯと判定された場合、判定部３４０は、タイムアウトになったか否かを判定する（Ｓ１７）。Ｓ１７でＮＯと判定された場合、判定部３４０は、処理をＳ１４に戻す。これにより、受信処理が開始されてから所定時間経過するまでは、時刻情報を取得できた場合を除き、Ｓ１４，Ｓ１５，Ｓ１６，Ｓ１７の処理が繰り返し実行される。なお、この間、捕捉衛星数は表示されない。
【００６０】
そして、受信処理が開始されてから、時刻情報を取得できずに所定時間が経過した場合、判定部３４０は、Ｓ１５でＹＥＳと判定し、捕捉衛星数の表示条件に該当したと判定する。そして、表示制御部３２０は、指針２１に、Ｓ１４で取得した捕捉衛星数を表示させる（Ｓ１８）。具体的に、表示制御部３２０は、指針２１に、０から１１までの時の値を示す位置のうち、捕捉衛星数の値と対応する時の値を示す位置を指示させることで、捕捉衛星数を表示させる。例えば、捕捉衛星数が５個の場合、５時位置（２５秒位置）を指示させる。ここで、表示制御部３２０は、０秒位置を指示する指針２１を１周させてから、捕捉衛星数を表示させる。このため、例えば、捕捉衛星数が「０」の場合でも、指針２１は１周してから０時位置を指示するため、ユーザーは指針２１によって捕捉衛星数が表示されていることを把握できる。すなわち、指針２１は、受信状態情報を表示する指針または表示部でもある。
【００６１】
捕捉衛星数が表示された後、Ｓ１６で、判定部３４０は、時刻情報の取得に成功したか否かを判定し、Ｓ１６でＮＯと判定した場合、処理をＳ１７に進める。これにより、時刻情報を取得できずに所定時間経過した以降は、時刻情報を取得できた場合を除き、Ｓ１４、Ｓ１５，Ｓ１８，Ｓ１６，Ｓ１７の処理が繰り返し実行される。
【００６２】
時刻情報を取得でき、Ｓ１６でＹＥＳと判定された場合、測時部３１１は、受信装置４５を停止させ、受信処理を終了する（Ｓ１９）。
そして、表示制御部３２０は、指針２１に所定情報の１つとして受信結果を表示させる（Ｓ２０）。ここでは、表示制御部３２０は、指針２１に「Ｙ」を指示させ、受信に成功したことを表示させる。すなわち、指針２１は、所定情報を表示する指針、または、受信結果表示指針でもある。
なお、指針２１に受信結果を表示させる際に、指針２１が捕捉衛星数を表示するために移動している途中の場合、指針２１を途中で停止させて受信結果を表示させると、表示が不自然となる。このため、表示制御部３２０は、指針２１に捕捉衛星数を表示させた後（指針２１の移動が完了した後）に、受信結果を表示させる。
【００６３】
次に、時刻修正部３５０は、取得された時刻情報を受信時刻データ２１１に記憶させる。これにより、内部時刻データ２１３、第１表示用時刻データ２１４、第２表示用時刻データ２１５が修正される。そして、表示制御部３２０は、指針２２（分針）、指針２３（時針）、カレンダー車２０（日車）に、修正された第１時刻の分、時、日を表示させ、指針２６，２７，２８に修正された第２時刻の分、時、午前午後を表示させる（Ｓ２１）。
【００６４】
Ｓ２１の処理の後、表示制御部３２０は、受信結果を表示していた指針２１に、所定情報の１つとして第１時刻の秒を表示させる（Ｓ２２）。
次に、表示制御部３２０は、指針２５に記号１２を指示させ、電池容量を表示させる（Ｓ２３）。そして、制御装置３００は、測時受信制御処理を終了する。
【００６５】
一方、時刻情報を取得できずに、タイムアウトになった場合（Ｓ１７でＹＥＳと判定）、測時部３１１は、受信装置４５を停止させ、受信処理を終了する（Ｓ２４）。そして、表示制御部３２０は、指針２１に「Ｎ」を指示させ、受信に失敗したことを表示させる（Ｓ２５）。
その後、Ｓ２２で、指針２１が第１時刻の秒を表示し、Ｓ２３で指針２５が電池容量を表示した後、制御装置３００は、測時受信制御処理を終了する。
すなわち、測時受信制御処理によれば、受信処理が開始されてから、所定時間経過する前に時刻情報を取得できた場合、捕捉衛星数が表示されることなく、受信結果や修正された時刻が表示される。また、受信処理が開始されてから、所定時間経過してから時刻情報を取得できた場合や、タイムアウトの場合、捕捉衛星数が表示された後に、受信結果が表示される。
【００６６】
［第１実施形態の作用効果］
電子時計１によれば、受信処理が開始されてから時間が経過し、捕捉衛星数が確定していると判断できる場合に、捕捉衛星数が表示されるようにできる。また、受信処理が開始されてから数秒で時刻情報を取得できる場合は、捕捉衛星数が表示されないため、捕捉衛星数の表示によって受信結果や修正された時刻の表示が遅れることがなく、受信結果や修正された時刻を迅速に表示できる。このように、利便性を向上できる。
【００６７】
最も長い指針である指針２１（秒針）によって、時刻秒、開始情報、捕捉衛星数、受信結果が表示されるため、これらの情報を分かり易く表示できる。
【００６８】
［第２実施形態］
第１実施形態では、判定部３４０は、受信処理が開始されてから、時刻情報を取得できずに所定時間が経過した場合のみ、捕捉衛星数の表示条件に該当したと判定している。これに対して、第２実施形態では、判定部３４０Ａは、受信に成功する見込みがないと判定された場合も、前記表示条件に該当したと判定する。
以下、第２実施形態の電子時計１Ａの構成のうち、主に、第１実施形態と異なる構成について説明する。なお、第１実施形態と同じ構成については、同じ符号を付けて説明を省略する。
【００６９】
図１０に示すように、第２実施形態の制御装置３００Ａは、受信制御部３１０、表示制御部３２０、取得部３３０、判定部３４０Ａ、時刻修正部３５０、成功見込み判定部３６０を備えている。
成功見込み判定部３６０は、受信処理の状態に基づいて、受信に成功する見込みがあるか否かを判定する。
【００７０】
第２実施形態の測時受信制御処理では、図１１に示すように、Ｓ１１〜Ｓ２５，Ｓ３１の処理が実行される。Ｓ１１〜Ｓ２５の処理は、第１実施形態と同じため、説明は省略する。
Ｓ１４で捕捉衛星数が取得された後、成功見込み判定部３６０は、受信している衛星信号の信号強度や、航法メッセージのデコード状態などに基づいて、受信に成功する見込みがあるか否かを判定する（Ｓ３１）。ここで、Ｓ３１の判定処理は、受信処理が開始されてから最初に実行される場合は、例えば、受信開始から２秒間待ってから実行される。
【００７１】
Ｓ３１でＮＯと判定された場合、判定部３４０Ａは、捕捉衛星数の表示条件に該当したと判定し、処理をＳ１８に進める。そして、Ｓ１８で、捕捉衛星数が表示される。すなわち、受信に成功する見込みがない場合は、受信処理が開始されてから所定時間経過する前であっても、捕捉衛星数が表示される。そして、Ｓ１６で、受信に成功したか否かの判定が行われる。
一方、Ｓ３１でＹＥＳと判定された場合は、Ｓ１５で、受信処理が開始されてから、受信に成功できずに所定時間が経過したか否かが判定される。
【００７２】
［第２実施形態の作用効果］
第２実施形態によれば、第１実施形態と同じ構成により、同じ作用効果を得ることができる。また、次の作用効果を得ることができる。
受信に成功する見込みがないと判定できた場合は、例えば、高い信号強度のＧＰＳ衛星１００が捕捉されていないなど、ＧＰＳ衛星１００を捕捉しにくい状況にあると判断できる。従って、受信に成功する見込みがないと判定できた場合に、捕捉衛星数を表示させることで、ＧＰＳ衛星１００を捕捉しにくい状況であることを通知できる。
また、受信に成功する見込みがないと判定された場合は、捕捉衛星数を表示させている途中で、時刻情報が取得される可能性は低く、捕捉衛星数の表示によって受信結果や修正された時刻の表示が遅れる可能性も低い。
このため、受信に成功する見込みがないと判定された場合は、受信処理が開始されてから所定時間経過する前であっても、捕捉衛星数を表示させることができ、これにより、受信に成功できる環境にないことを迅速に表示できる。
【００７３】
［第３実施形態］
第３実施形態の電子時計１Ｂは、測位受信処理の実行中に捕捉衛星数を表示する。
第１実施形態の測時受信制御処理では、判定部３４０は、受信処理が開始されてから、時刻情報を取得できずに所定時間が経過した場合のみ、捕捉衛星数の表示条件に該当したと判定している。これに対して、第２実施形態の測位受信制御処理では、判定部３４０Ｂは、受信処理が開始されてから、位置情報を取得できずに所定時間が経過した場合、および、捕捉されているＧＰＳ衛星１００の数および信号強度が、予め設定された測位可能条件に該当する場合に、前記表示条件に該当したと判定する。
以下、第３実施形態の電子時計１Ｂの構成のうち、主に、第１実施形態と異なる構成について説明する。なお、第１実施形態と同じ構成については、同じ符号を付けて説明を省略する。
【００７４】
図１２に示すように、第３実施形態の制御装置３００Ｂは、受信制御部３１０、表示制御部３２０、取得部３３０、判定部３４０Ｂ、時刻修正部３５０、条件判定部３７０を備えている。
条件判定部３７０は、捕捉されているＧＰＳ衛星１００の数および信号強度が、予め設定された測位可能条件に該当するか否かを判定する。
【００７５】
第３実施形態の測位受信制御処理では、図１３に示すように、Ｓ１１Ｂ，Ｓ１２Ｂ，Ｓ１３Ｂ，Ｓ１４，Ｓ１５，Ｓ１６Ｂ，Ｓ１７〜Ｓ２５，Ｓ４１の処理が実行される。Ｓ１４，Ｓ１５，Ｓ１７〜Ｓ２５の処理は、第１実施形態と同じため、説明は省略する。
Ａボタン２が６秒以上押され、測位モードでの受信処理（測位受信処理）を開始させる受信開始操作が行われると、受信制御部３１０は、検出装置１７０から出力された操作信号に基づいて当該操作を検出し、測位部３１２を起動させる。測位部３１２は、受信装置４５を起動させ、測位受信処理を開始する（Ｓ１１Ｂ）。測位受信処理が実行されると、受信装置４５は、ＧＰＳ衛星１００の捕捉処理を実行する。そして、少なくとも３個、好ましくは４個のＧＰＳ衛星１００を捕捉し、各ＧＰＳ衛星１００から送信される衛星信号を受信して位置情報を算出して取得する。また、受信装置４５は、衛星信号を受信した際に時刻情報も同時に取得できる。なお、測位受信処理の場合は、受信に成功するまでに、最短でも３０秒かかる。
【００７６】
その後、表示制御部３２０は、指針２１（秒針）に３０秒位置を指示させ、受信処理が開始されたことを示す開始情報を表示させる（Ｓ１２Ｂ）。
そして、表示制御部３２０は、指針２５（モード針）に「４＋」の記号を指示させ、測位受信処理の実行中であることを表示させる（Ｓ１３Ｂ）。
【００７７】
その後、Ｓ１４で捕捉衛星数が取得された後、条件判定部３７０は、捕捉されているＧＰＳ衛星１００の数および信号強度が、予め設定された測位可能条件に該当するか否かを判定する（Ｓ４１）。
具体的に、条件判定部３７０は、捕捉されているＧＰＳ衛星１００のうち、信号強度の高い方から順番に、４個のＧＰＳ衛星１００を選択する。なお、捕捉されているＧＰＳ衛星１００が４個以下の場合は、捕捉されているＧＰＳ衛星１００をすべて選択する。
そして、条件判定部３７０は、選択されたＧＰＳ衛星１００の信号強度の値の総和を求め、求めた総和を４で割った値を算出する。そして、算出した値が、予め設定された強度閾値以上か否かを判定し、算出した値が強度閾値以上の場合、測位可能条件に該当したと判定する。
【００７８】
Ｓ４１でＹＥＳと判定された場合、判定部３４０Ｂは、捕捉衛星数の表示条件に該当したと判定し、処理をＳ１８に進める。そして、Ｓ１８で、捕捉衛星数が表示される。すなわち、捕捉されているＧＰＳ衛星１００の数および信号強度が測位可能条件に該当する場合は、受信処理が開始されてから所定時間経過する前であっても、捕捉衛星数が表示される。そして、Ｓ１６Ｂで、判定部３４０Ｂは、位置情報を取得できたか否かを判定する。
Ｓ４１でＮＯと判定された場合は、Ｓ１５で、受信処理が開始されてから所定時間が経過したか否かが判定される。判定部３４０Ｂは、Ｓ１５でＹＥＳと判定した場合、捕捉衛星数の表示条件に該当したと判定し、処理をＳ１８に進める。そして、Ｓ１８で捕捉衛星数が表示される。一方、Ｓ１５でＮＯと判定された場合は、Ｓ１６Ｂで位置情報を取得できたか否かが判定される。
ここで、測位受信処理では、捕捉衛星数が多いほど、受信に成功し易くなる。このため、捕捉衛星数を表示させることで、ユーザーは、受信の成功のし易さの度合いを把握できる。
【００７９】
なお、本実施形態では、位置情報を取得できた場合、取得された位置情報（緯度、経度）に基づいてタイムゾーンデータが設定される。具体的には、タイムゾーンデータ記憶部２２０から位置情報に対応するタイムゾーンデータ（時差情報）を選択して取得し、第１タイムゾーンデータ２１６に記憶（設定）する。
そして、時刻修正部３５０は、第１表示用時刻データ２１４を、第１タイムゾーンデータ２１６を用いて修正する。このため、第１表示用時刻データ２１４は、ＵＴＣである内部時刻データ２１３にタイムゾーンデータを加算した時刻となる。
【００８０】
［第３実施形態の作用効果］
受信処理が開始されてから時間が経過し、捕捉衛星数が正確であると判断できる場合に、捕捉衛星数が表示されるようにでき、利便性を向上できる。
また、受信処理が開始されてから所定時間経過する前であっても、測位可能条件に該当し、受信に成功できる環境にあると判断できる場合は、捕捉衛星数が表示されるため、受信に成功できる環境にあることを迅速に表示できる。
【００８１】
［他の実施形態］
なお、本発明は前述の実施形態に限定されるものではなく、本発明の目的を達成できる範囲での変形、改良等は本発明に含まれるものである。
【００８２】
前記各実施形態では、測時受信制御処理および測位受信制御処理において、受信制御部３１０が受信装置４５を起動させて受信処理を開始した後、表示制御部３２０は、指針２１に開始情報を表示させているが、本発明はこれに限定されない。
例えば、表示制御部３２０が、検出装置１７０から出力された操作信号に基づいて、操作部の受信開始操作を検出すると、指針２１に開始情報を表示させ、受信装置４５の起動および開始情報の表示が同時に行われるようにしてもよい。
受信装置４５の起動および開始情報の表示が同時に行われるとは、受信装置４５の起動中の期間と、指針２１が開始情報を表示するために移動している期間とが、少なくとも一部重なっている状態を意図する。
【００８３】
この場合の電子時計の動作および表示のタイミングについて、図１４に示す例を用いて説明する。図１４に示す例は、測時受信処理の例である。
図１４の例では、Ａボタン２の受信開始操作が行われると、時刻Ｔ０で、測時部３１１は、受信装置４５を起動させる。また、時刻Ｔ０で、表示制御部３２０は、指針２１の移動を開始させ、０秒位置を指示させて開始情報を表示させる。
次に、時刻Ｔ１で、受信装置４５は、起動を完了すると、ＧＰＳ衛星１００の捕捉処理を実行する。時刻Ｔ１では、開始情報が継続して表示されている。
そして、時刻情報を取得できずに時刻Ｔ０から所定時間が経過し、時刻Ｔ２になると、表示制御部３２０は、指針２１に捕捉衛星数を表示させる。
次に、時刻Ｔ３で、時刻情報を取得可能なＧＰＳ衛星１００が捕捉されると、受信装置４５は、当該ＧＰＳ衛星１００から時刻データを受信する。
そして、時刻Ｔ４で、時刻情報の取得に成功すると、受信制御部３１０は、受信装置４５を停止させる。また、時刻Ｔ４で、表示制御部３２０は、指針２１に受信結果を表示させる。
【００８４】
これによれば、受信装置４５の起動が完了した後に開始情報を表示するため指針２１が移動を開始する場合と比べて、開始情報を迅速に表示できる。また、開始情報を表示する指針２１の移動が完了した後に受信装置４５が起動を開始する場合と比べて、受信開始操作が行われてから受信処理が完了するまでの平均時間を短縮できる。
【００８５】
前記各実施形態では、時刻情報または位置情報を取得できた場合、受信結果が表示された後に、修正された時刻が表示されるが、本発明はこれに限定されない。例えば、表示制御部３２０は、指針２１〜２３，２６〜２８、カレンダー車２０を制御し、受信結果および修正された時刻を同時に表示させてもよい。
ここで、受信結果および修正された時刻が同時に表示される状態とは、受信結果を表示するために指針２１が移動している期間と、指針２２，２３，２６〜２８、カレンダー車２０のいずれかが修正された時刻を表示するために移動している期間とが、少なくとも一部重なっている状態である。
これによれば、受信結果および修正された時刻のいずれか一方が表示された後に他方が表示される場合と比べて、ユーザーが受信結果および修正された時刻の両方を確認できるまでの時間を短縮できる。
【００８６】
前記各実施形態では、受信中に表示させる受信状態情報は捕捉衛星数であるが、本発明はこれに限定されない。例えば、受信状態情報は、捕捉衛星数と信号強度に基づいて判定される受信状態レベルであってもよい。
例えば、受信状態レベルは、０，１，２の３段階で表され、測時受信処理の場合、受信状態レベルは次のように判定される。すなわち、捕捉衛星数が０個の場合、受信状態レベルは「０」と判定される。また、捕捉衛星数が１個以上であるが、信号強度が所定の信号強度以上である捕捉衛星数が０個の場合、受信状態レベルは「１」と判定される。また、信号強度が所定の信号強度以上である捕捉衛星数が１個以上である場合、受信状態レベルは「２」と判定される。
また、測位受信処理の場合、次のように判定される。すなわち、捕捉衛星数が４個未満の場合、受信状態レベルは「０」と判定される。また、捕捉衛星数が４個以上であるが、信号強度が所定の信号強度以上である捕捉衛星数が４個未満の場合、受信状態レベルは「１」と判定される。また、信号強度が所定の信号強度以上である捕捉衛星数が４個以上である場合、受信状態レベルは「２」と判定される。
すなわち、受信状態情報は、受信処理に関する情報であればよい。
【００８７】
前記各実施形態では、受信処理が完了した場合、指針２１は受信結果を表示するが、本発明はこれに限定されない。例えば、指針２１は、受信結果を表示せずに、修正された時刻秒を表示してもよい。
【００８８】
前記各実施形態では、受信状態情報を表示する指針（指針２１）が、受信が完了した場合に表示する時刻は、秒であるが、本発明はこれに限定されない。例えば、分や時や日であってもよい。
また、前記各実施形態では、受信状態情報を表示する指針が、開始情報、受信状態情報、受信結果、時刻も表示するが、本発明はこれに限定されない。例えば、開始情報、受信状態情報、受信結果、時刻は、他の指針が表示してもよい。
また、受信状態情報は、液晶表示装置などのデジタル表示装置によって表示されてもよい。
【００８９】
前記第３実施形態では、判定部３４０Ｂは、受信処理が開始されてから、位置情報を取得できずに所定時間が経過した場合、および、測位可能条件に該当する場合に、捕捉衛星数の表示条件に該当したと判定するが、本発明はこれに限定されない。例えば、判定部３４０Ｂは、位置情報を取得できずに所定時間が経過した場合のみ、表示条件に該当したと判定してもよい。
【００９０】
前記各実施形態では、受信処理の例として、Ａボタン２の受信開始操作に応じて受信処理が実行される手動受信処理について説明したが、本発明はこれに限定されない。例えば、時刻が予め設定された時刻になった場合や、ソーラーパネル１３５に照射される光の照度が照度閾値以上になり、電子時計が屋外に配置されていると判定できる場合などに自動的に実行される自動受信処理も適用できる。
【００９１】
前記各実施形態では、受信制御部３１０は、測時部３１１および測位部３１２を備えているが、本発明はこれに限定されない。例えば、測時部３１１および測位部３１２のいずれか一方のみを備えていてもよい。
【００９２】
前記各実施形態では、位置情報衛星の例として、ＧＰＳ衛星１００について説明したが、本発明はこれに限定されない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【００９３】
前記第１、第２実施形態では、受信装置が測時モードで受信する電波の例として、衛星信号を説明したが、本発明はこれに限定されない。例えば、電波としては、標準電波などの時刻情報が含まれる電波も適用できる。
【符号の説明】
【００９４】
１，１Ａ，１Ｂ…電子時計、２…Ａボタン、１１…文字板、２０…カレンダー車、２１〜２８…指針、２９…指針軸、４５…受信装置、１００…ＧＰＳ衛星、１１０…ＧＰＳアンテナ、１３０…二次電池、１３１…充電回路、１３５…ソーラーパネル、１４０…駆動機構、１４１…表示装置、１５０…計時装置、１６０…入力装置、１７０…検出装置、２００…記憶装置、３００，３００Ａ，３００Ｂ…制御装置、３１０…受信制御部、３１１…測時部、３１２…測位部、３２０…表示制御部、３３０…取得部、３４０，３４０Ａ，３４０Ｂ…判定部、３５０…時刻修正部、３６０…成功見込み判定部、３７０…条件判定部。
【図１】
2018096830.tif 000003
【図２】
2018096830.tif 000004
【図３】
2018096830.tif 000005
【図４】
2018096830.tif 000006
【図５】
2018096830.tif 000007
【図６】
2018096830.tif 000008
【図７】
2018096830.tif 000009
【図８】
2018096830.tif 000010
【図９】
2018096830.tif 000011
【図１０】
2018096830.tif 000012
【図１１】
2018096830.tif 000013
【図１２】
2018096830.tif 000014
【図１３】
2018096830.tif 000015
【図１４】
2018096830.tif 000016